(57)【要約】      （修正有）【課題】ショーケース本体の不使用時には、ＰＯＰ板と照明具とを外し、支柱を押し下げてショーケース本体の背面に収納しうる催事用冷蔵ショーケースを提供する。【解決手段】底面にキャスタ２を有するショーケース本体３と、その背面に昇降可能に取り付けた左右一対の支柱６と、一対の支柱間に掛け渡された木製の横架材８と、横架材に着脱可能に固定されるＰＯＰ板１０と、ＰＯＰ板の下部で一対の支柱に着脱可能に取り付けられた照明具１１とからなる。【選択図】図１
0003138360.tif 000002
【実用新案登録請求の範囲】
【請求項１】
底面にキャスタを有して移動可能なショーケース本体と、
該ショーケース本体の背面に昇降可能に取り付けた左右一対のパイプからなる支柱と、
該一対の支柱の上部に固定されて支柱間に掛け渡された木製の横架材と、
該横架材に固定されるパネル状のＰＯＰ板と、
該ＰＯＰ板の下部で前記一対の支柱に着脱可能に取り付けられてショーケース本体内の商品を照明する照明具とからなっており、
ショーケース本体の不使用時には、前記パネル状のＰＯＰ板と照明具とを外し、支柱を押し下げてショーケース本体の背面に収納しうることを特徴とする催事用ショーケース。
【請求項２】
横架材が角材からなっており、該角材にＰＯＰ板を釘などで固着してなることを特徴とする請求項１に記載の催事用ショーケース。
【請求項３】
横架材の両端側に下方に垂下する軸部を設け、該軸部を支柱の上端のパイプ穴に挿入して横架材が支柱に取り付けられていることを特徴とする請求項１に記載の催事用ショーケース。
【請求項４】
支柱部に照明部掛止手段が形成されると共に、前記支柱部内に照明部に電気を供給するコードを挿入する開口部が穿設されており、前記コードは支柱部内を通って支柱の下部開口からプラグが抜け出るようになっていることを特徴とする請求項１に記載の催事用ショーケース。
【考案の詳細な説明】
【技術分野】
【０００１】
この考案は、催事用冷蔵ショーケースの改良に関する。
【背景技術】
【０００２】
移動可能な催事用冷蔵ショーケースでは、プライスカードやちらし等をショーケースの前面や、別に設置した台等に貼って宣伝を行つていたが、手間がかかるばかりか宣伝効果も低かった。
そこで、実公平２−９３４９号では、背面断熱パネルの両側に高さ方向に沿って設けられた一対のガイド孔と、前記一対のガイド孔に各々挿入されて、該ガイド孔に沿つて、高さ方向に移動可能で下端に夫々レールネジ孔を設けた一対の垂直部分と該一対の垂直部分の上端部間に設けられた水平部分とからなる横倒コ字形のプライスカードレールと、前記背面断熱パネルの背面側から該一対の垂直部分に対応する位置に、前記一対のガイド孔まで貫通して夫々設けられた一対のパネルネジ孔と、前記ブライスカードレールの水平部分がショーケース本体より上方に引き出されたとき前記一対のレールネジ孔と前記一対のパネルネジ孔とを突き合わせて該背面断熱パネルの背面側から前記垂直部分を前記ガイド孔の所定の位置に固定するネジとを有する冷蔵ショーケースが開示されている。
しかし、上記構成では、プライスカードレールの水平部分にプライスカードを吊り下げることしかできず、照明を取り付けることはできなかった。
一方、実公昭６２−１９７５号では、照明スタンドケースを左右一対の支柱に架設し、該照明スタンドケース内に広告表示シートを巻き取り収納しており、前記広告表示シートの下端に設けた引出係止具を引き出して使用に供する構成が開示されている。
この構成では、広告表示シートを巻取って収納可能な大型の照明スタンドケースが必要となり、この照明スタンドケースは支柱と一体に連動するので、不使用時には支柱をケース本体内に下げることはできるが、照明スタンドケースを取り外すことはできずケース本体上部に照明スタンドケースが残るので、催事用にのみ用いる冷蔵ショーケースとして用いる場合には、不使用時に省スペース化を図ることができない。
【特許文献１】実公平２−９３４９号公報
【特許文献２】実公昭６２−１９７５号
【考案の開示】
【考案が解決しようとする課題】
【０００３】
この考案は上記実情に鑑みてなされたもので、その主たる課題は、
支柱に宣伝用ＰＯＰ板と照明具を着脱可能に取り付けることができるようにすることで、使用時にはＰＯＰ板による宣伝効果と照明具によるケース内陳列商品の照明による演出を行い、不使用時には省スペースを図ることができる催事用ショーケースを提供することにある。
【課題を解決するための手段】
【０００４】
上記課題を解決するために、請求項１の考案では、
底面にキャスタを有して移動可能なショーケース本体と、
該ショーケース本体の背面に昇降可能に取り付けた左右一対のパイプからなる支柱と、
該一対の支柱の上部に固定されて支柱間に掛け渡された木製の横架材と、
該横架材に固定されるパネル状のＰＯＰ板と、
該ＰＯＰ板の下部で前記一対の支柱に着脱可能に取り付けられてショーケース本体内の商品を照明する照明具とからなっており、
ショーケース本体の不使用時には、前記パネル状のＰＯＰ板と照明具とを外し、支柱を押し下げてショーケース本体の背面に収納しうることを特徴とする。
請求項２の考案では、
前記横架材が角材からなっており、該角材にＰＯＰ板を釘などで固着してなることを特徴とする。
また、請求項３の考案では、
前記横架材の両端側に下方に垂下する軸部を設け、該軸部を支柱の上端のパイプ穴に挿入して横架材が支柱に取り付けられていることを特徴とする。
更に、請求項４の考案では、
前記支柱部に照明部掛止手段が形成されると共に、前記支柱部内に照明部に電気を供給するコードを挿入する開口部が穿設されており、前記コードは支柱部内を通って支柱の下部開口からプラグが抜け出るようになっていることを特徴とする。
【考案の効果】
【０００５】
この考案は、支柱の上部に掛け渡した横架材に宣伝用ＰＯＰ板を固定し、ＰＯＰ板の下に支柱に支持された照明具を着脱可能に取り付けることができるので、使用時にはＰＯＰ板による宣伝効果が発揮され、また照明具によりショーケースの上方離間位置から商品を照明することができるので発熱による影響を与えることなくケース内の商品をライトアップすることができる。
また、不使用時にはＰＯＰ板と照明具を取り外し、支柱をショーケース本体の背面にコンパクトに収納することができるので、保管に際して省スペースを図ることができ、極めて有益である。
【考案を実施するための最良の形態】
【０００６】
以下に、この考案の催事用ショーケースの実施の形態について図面を参照しながら説明する。
【実施例１】
【０００７】
図１および図２に示す催事用ショーケース１は、冷蔵ショーケースであって、キャスタ２を底面に設けた機械室３ａと陳列ケース３ｂとからなるショーケース本体３とからなっている。
このショーケース本体３の背面、には、左右一対の貫通孔５が形成されており、各貫通孔５内にはステンレススチール製のパイプからなる支柱６が摺動自在に挿入されている。
【０００８】
ここで、支柱６は上下に摺動した際に所定位置で固定されるロック手段４が設けられている。
該ロック手段４としては、例えば、図４に例示するように、支柱６の上下に形成された一対のロック孔（上方が収納位置ロック孔７ａ、下方が使用位置ロック孔７ｂ）と、陳列ケース３ｂの背面に設けられたロック装置４とからなっている。
【０００９】
該ロック装置４は前記ロック孔７ａまたは７ｂに向かって出没可能なピン４ａと、該ピン４ａをロック方向に付勢するスプリングＳ１とを有している。
また、前記ピン４ａには中途位置に凹部４１が形成されている。
上記ピン４ａは、陳列ケース３ｂの背面に固定された装置本体４ｂを通り前記貫通孔５とつながる孔４２内を進退しうるように取り付けられている。
装置本体４ｂには、該本体４ｂ内の孔４２の中間位置に向かってロック方向にバネＳ２で付勢されて前記凹部４１と係脱可能なボール状の係合子４３が収納されている。
【００１０】
そこで、前記支柱６のロック孔７ａまたは７ｂを前記孔４２と整合し、ピン４ａを孔４２から押し込んでロック孔７ａ内に挿入すると、前記凹部４１に係合子４３が突入してピン４ａが支柱６のロック孔内で拘束され、ロックされる。
該ピン４ａの外端のハンドルを外向きに引っ張ると係合子４３が後退してピン４ａを前記ロック孔から抜き取り、支柱６のロックを解除することができる。
【００１１】
このロック装置４は、その他の公知のロック機構を用いてよいし、マニュアル式にピンを手でロック孔に差し込む構造や、支柱６に拡縮可能なリングを外嵌しておき、上記拡縮リングを拡径して支柱６の昇降を自在とし、縮径して拡縮リングを支柱６に固定し支柱６が貫通孔５を通らないようにして支柱６の高さ位置を固定するなどの公知の構成を用いることができる。
【００１２】
各支柱６の上部には、木製の横架材８の端部側が固定されており、左右の支柱６、６間に掛け渡されている。
上記横架材８は支柱６の上端に接着剤等で固着されるものでもよいが、本実施例では角材からなっており、図５（ａ）に例示するように、両端側に支柱６の内径より小径の軸部９が固定されて垂下しており、支柱６の上端のパイプ開口に挿入されている。
このように横架材８は、支柱６に対して着脱可能に取り付けることができ、その場合は、横架材８はＰＯＰ板１０と共に取り外すことができる。
【００１３】
上記横架材８にはパネル状のＰＯＰ板１０を取り付けることができる。
本実施例では横架材８にＰＯＰ板１０の上縁を釘やネジで固定して、看板として使用している。
ＰＯＰ板１０の形状は、図示例では矩形としたが、任意の形状とすることができ、また横架材８の一部に固定するものでよいし、複数のＰＯＰ板を固定するものでもよい。
不使用時には前記釘やネジを外してＰＯＰ板１０を取り外すことができる。
【００１４】
この考案では、図５（ｂ）に例示するように、ＰＯＰ板１０毎に横架材８を一体に固着しておき、ＰＯＰ板１０と共に横架材８を支柱６に対して着脱可能とする構成であってもよい。
その場合、ＰＯＰ板１０付き横架材８は、支柱６に横架材８を取り付ける際にＰＯＰ板１０が支柱６と干渉することがないように僅かに支柱６より前方となるように横架材８に取り付けられる。
【００１５】
上記ＰＯＰ板１０取付位置の下方には、一対の支柱６間に蛍光灯のような照明具１１が水平に取り付けられる。
上記照明具１１は照明掛止手段１２により支柱６に着脱可能に取り付けられている。
【００１６】
ここで照明具１１は、前記ＰＯＰ板１０と離間した位置に設けてもよいが、ＰＯＰ板１０の下端と衝合可能としてもよい。
そこで、図６に示すように、照明具１１のカバー上部１１ａにはＰＯＰ板１０の下端を受ける受部１１ｂを形成しておき、照明具１１を支柱６に取り付けてからＰＯＰ板１０を支柱６に取り付けることで、ＰＯＰ板１０をその上端は横架材８に固定され、下端は照明具１１の前記受部１１ｂに衝合させて安定して支持することができる。
ここで受部１１ｂは図示例のような平坦面に限らず傾斜面や凹凸面であってもよく、要するにＰＯＰ板１０の下端と衝合可能であればよい。
【００１７】
また、図６に示す照明掛止手段１２の一例では、照明具１１の背面の左右両端側に下向きのフック片１２ａを設け、支柱６側には上記フック片を掛止める受溝１２ｂが設けられる。
該受溝１２ｂは、上下に等間隔で複数設ければ、照明具１１の支柱６への取付位置を多段階に高さ調整することができる。
この考案では、照明掛止手段は上記構成に限定されず、その他の公知の着脱構成を用いることができる。
【００１８】
上記照明具１１に給電する電気コード１３は、支柱６にコード挿入用の開口部１４を設けておけば、該開口部１４から挿入して支柱６内を通すことで外に露出せず邪魔にならず、支柱６の下端開口から抜け出て電気コードのプラグ１３ａを壁面のコンセント等に差し込むことができる。
また、ショーケース１の背面その他の任意の個所に、ショーケース１の冷蔵装置に給電する電気コードから分岐したコンセントを設けておけば、前記照明具用電気コードのプラグ１３ａを差し込むことができる。
【００１９】
ショーケース１の不使用時には、前記ＰＯＰ板１０や照明具１１を支柱６から取り外す。
ＰＯＰ板１０は横架材８と共に、支柱６からして取り外すようにしてもよい。
支柱６は、貫通孔５内に押し下げる。
そして、前述のロック手段７により、図３に示すように、キャスタ２の走行の邪魔にならない下降位置（少なくともキャスタの接地面より高い位置）でロックし、コンパクトにして保管する。
その他、この考案は、上記実施例に限定されるものではなく、その用途に応じて適宜設計変更しうること勿論である。
【図面の簡単な説明】
【００２０】
【図１】催事用ショーケースの正面図である。
【図２】図１の側面図である。
【図３】保管時の催事用ショーケースの側面図である。
【図４】ロック手段の一例を示す要部拡大図である。
【図５】（ａ）は横架材と支柱の取付状態を示す分解図、（ｂ）はＰＯＰ板付き横架材を示す要部側面図である。
【図６】（ａ）は照明具と支柱の関係を示す要部拡大側面図、（ｂ）は照明具にＰＯＰ板の下端の受部を設けた要部拡大側面図である。
【符号の説明】
【００２１】
１    催事用ショーケース
２    キャスタ
３ａ  機械室
３ｂ  陳列ケース
３    ショーケース本体
４    ロック手段
５    貫通孔
６    支柱
７ａ  収納位置ロック孔
７ｂ  使用位置ロック孔
８    横架材
９    軸部
１０    ＰＯＰ板
１１    照明具
１２    照明掛止手段
１３    電気コード
１４    開口部
【図１】
0003138360.tif 000003
【図２】
0003138360.tif 000004
【図３】
0003138360.tif 000005
【図４】
0003138360.tif 000006
【図５】
0003138360.tif 000007
【図６】
0003138360.tif 000008